(57)【要約】【課題】マット自体を替えることなく、広告を差し替えることができ、広告内容の変更要求に適時に対応することができる広告機能付きフロアーマットを提供する。【解決手段】広告機能付きフロアーマット１０Ａは、広告シート１１を着脱可能に取り付ける支持プレート１２と、プレート１２を着脱可能に設置する設置マット１３とから構成され、プレート１２が、シート１１を乗せる下部シート１４と、シート１４の上に重なる透明な上部シート１５とから形成され、設置マット１３が、プレート１２を乗せるベース３０と、ベース３０に重なってプレート１２をベース３０に着脱可能に固定する固定フレーム２９とから形成され、広告シート１１が上下部シート１４，１５の間に挟み込まれた状態で支持され、プレート１２がフレーム２９とベース３０との間に挟み込まれた状態で固定される。【選択図】図１
2011209598.tif 000002
【特許請求の範囲】
【請求項１】
所定の広告を表示した広告シートを着脱可能に取り付ける支持プレートと、前記支持プレートを着脱可能に設置する設置マットとから構成され、前記支持プレートが、可撓性を有して前記広告シートを乗せる下部シートと、可撓性を有して前記下部シートの上に重なる透明な上部シートとから形成され、前記設置マットが、可撓性を有して前記支持プレートを乗せるベースと、可撓性を有して前記ベースの周縁部に重なり、前記支持プレートの周縁部を前記ベースの周縁部に着脱可能に固定する固定フレームとから形成され、前記広告シートが、前記下部シートと前記上部シートとの間に挟み込まれた状態で支持され、前記支持プレートの周縁部が、前記ベースと前記固定フレームとの間に挟み込まれた状態で固定される広告機能付きフロアーマット。
【請求項２】
前記下部シートと前記上部シートとが、互いに固着された固着周縁部と、前記固着周縁部を除く残余の自由周縁部とを有し、前記上下部シートの自由周縁部が、固定手段を介して着脱可能に固定され、前記ベースと前記固定フレームとが、互いに固着された固着周縁部と、前記固着周縁部を除く残余の自由周縁部とを有し、前記ベースと前記固定フレームとの自由周縁部が、前記固定手段を介して着脱可能に固定される請求項１に記載の広告機能付きフロアーマット。
【請求項３】
前記ベースと前記固定フレームの固着周縁部が、前記支持プレートの周縁部を挟み込んだ状態で固定する固定部分を有し、前記固定フレームの自由周縁部が、前記支持プレートの周縁部を固定する固定部分と、前記固定部分の外側に位置して上下方向下方へ凸となる凸部分と、前記凸部分の外側に位置して上下方向上方へ凹む凹部分と、前記凹部分の外側に位置して該外側に向かうにつれて下り勾配に傾斜するスロープ部分とを有し、前記ベースの自由周縁部が、前記固定フレームの自由周縁部の凸部分に当接する当接部分と、前記当接部分の外側に位置して上下方向上方へ凸となり、前記固定フレームの自由周縁部の凹部分に嵌合する凸部分とを有し、前記固定フレームの自由周縁部の凹部分と前記ベースの自由周縁部の凸部分とが、前記固定手段を介して着脱可能に固定される請求項２に記載の広告機能付きフロアーマット。
【請求項４】
前記固定手段が、前記固定フレームの自由周縁部の凹部分と前記ベースの自由周縁部の凸部分との少なくとも一方に塗布された粘着剤である請求項３に記載の広告機能付きフロアーマット。
【請求項５】
前記ベースと前記固定フレームの固着周縁部が、前記支持プレートの周縁部を挟み込んだ状態で固定する固定部分を有し、前記固定フレームの自由周縁部が、前記支持プレートの周縁部を固定する固定部分と、前記固定部分の外側に位置して上下方向上方へ凹む凹部分と、前記凹部分の外側に位置して該外側に向かうにつれて下り勾配に傾斜するスロープ部分とを有し、前記ベースの自由周縁部が、上下方向上方へ凸となって前記固定フレームの自由周縁部の固定部分に当接する第１凸部分と、前記第１凸部分の外側に位置して上下方向下方へ凹み、前記固定フレームの自由周縁部の凹部分に対向する凹部分と、前記凹部分の外側に位置して上下方向上方へ凸となり、前記固定フレームの自由周縁部のスロープ部分に当接する第２凸部分とを有し、前記固定フレームの自由周縁部の凹部分と前記ベースの自由周縁部の凹部分とが、前記固定手段を介して着脱可能に固定される請求項２に記載の広告機能付きフロアーマット。
【請求項６】
前記固定手段が、前記固定フレームの自由周縁部の凹部分に取り付けられたメカニカルファスナの雄ファスナと雌ファスナとのいずれか一方と、前記ベースの自由周縁部の凹部分に取り付けられたメカニカルファスナの雄ファスナと雌ファスナとのいずれか他方とである請求項５に記載の広告機能付きフロアーマット。
【請求項７】
前記支持プレートを形成する上部シートが、前記下部シートに対向する透明なＰＥＴ樹脂シートと、前記ＰＥＴ樹脂シートの前記下部シートに対する非対向面に配置された透明な保護シートとから形成され、前記保護シートが、透明な合成樹脂と前記合成樹脂に練り込まれた透明なセラミック粉末とから作られ、前記ＰＥＴ樹脂シートの非対向面に塗布された透明なＵＶ樹脂をバインダーとして前記非対向面に接合されている請求項１ないし請求項６いずれかに記載の広告機能付きフロアーマット。
【発明の詳細な説明】
【技術分野】
【０００１】
本発明は、広告機能を備えた広告機能付きフロアーマットに関する。
【背景技術】
【０００２】
足拭きマットの製造およびレンタルを行う足拭きマット事業者と、足拭きマット事業者との契約によって足拭きマットに広告を掲載する広告主と、足拭きマット事業者との契約によって広告が掲載された各種広告付き足拭きマットの設置場所を提供する場所提供者との関係から構築された広告方法がある（特許文献１参照）。この広告方法は、足拭きマット事業者が広告主からの依頼により、製造およびレンタル契約した足拭きマットに広告を掲載し、その広告付き足拭きマットを場所提供者の提供する設置場所において利用者の多くなる時期に応じて選択的に移動設置し、広告付き足拭きマットの設置期間に応じた対価を足拭きマット事業者が場所提供者に支払う。この広告方法は、広告付き足拭きマットを利用者の多くなる時期に応じて選択的に移動設置するから、広告付き足拭きマットの宣伝効果を向上させることができる。
【先行技術文献】
【特許文献】
【０００３】
【特許文献１】特開２００４−１７０８４６号公報
【発明の概要】
【発明が解決しようとする課題】
【０００４】
前記特許文献１に開示の広告方法に使用するマットは、その足拭き部分の表面に所定の広告を掲載するから、広告の内容を変更する場合、マット自体を別の広告を掲載したそれと差し替えなければならず、その分の手間と費用とがかかる。また、この広告方法に使用するマットは、それを残した状態で広告の差し替えを行うことができず、広告内容を自由に替えることができないから、一つのマットで多種多様な広告を掲載することができず、広告内容の変更要求に適時に対応することができない。
【０００５】
本発明の目的は、マット自体を替えることなく、広告を差し替えることができ、広告内容の変更要求に適時に対応することができる広告機能付きフロアーマットを提供することにある。
【課題を解決するための手段】
【０００６】
前記課題を解決するための本発明にかかる広告機能付きフロアーマットは、所定の広告を表示した広告シートを着脱可能に取り付ける支持プレートと、支持プレートを着脱可能に設置する設置マットとから構成され、支持プレートが、可撓性を有して広告シートを乗せる下部シートと、可撓性を有して下部シートの上に重なる透明な上部シートとから形成され、設置マットが、可撓性を有して支持プレートを乗せるベースと、可撓性を有してベースの周縁部に重なり、支持プレートの周縁部をベースの周縁部に着脱可能に固定する固定フレームとから形成され、広告シートが下部シートと上部シートとの間に挟み込まれた状態で支持され、支持プレートの周縁部がベースと固定フレームとの間に挟み込まれた状態で固定される。
【０００７】
本発明にかかる広告機能付きフロアーマットの一例としては、下部シートと上部シートとが、互いに固着された固着周縁部と、固着周縁部を除く残余の自由周縁部とを有し、上下部シートの自由周縁部が固定手段を介して着脱可能に固定され、ベースと固定フレームとが、互いに固着された固着周縁部と、固着周縁部を除く残余の自由周縁部とを有し、ベースと固定フレームとの自由周縁部が固定手段を介して着脱可能に固定される。
【０００８】
本発明にかかる広告機能付きフロアーマットの他の一例としては、ベースと固定フレームの固着周縁部が支持プレートの周縁部を挟み込んだ状態で固定する固定部分を有し、固定フレームの自由周縁部が、支持プレートの周縁部を固定する固定部分と、固定部分の外側に位置して上下方向下方へ凸となる凸部分と、凸部分の外側に位置して上下方向上方へ凹む凹部分と、凹部分の外側に位置して外側に向かうにつれて下り勾配に傾斜するスロープ部分とを有し、ベースの自由周縁部が、固定フレームの自由周縁部の凸部分に当接する当接部分と、当接部分の外側に位置して上下方向上方へ凸となり、固定フレームの自由周縁部の凹部分に嵌合する凸部分とを有し、固定フレームの自由周縁部の凹部分とベースの自由周縁部の凸部分とが固定手段を介して着脱可能に固定される。
【０００９】
本発明にかかる広告機能付きフロアーマットの他の一例としては、固定手段が固定フレームの自由周縁部の凹部分とベースの自由周縁部の凸部分との少なくとも一方に塗布された粘着剤である。
【００１０】
本発明にかかる広告機能付きフロアーマットの他の一例としては、ベースと固定フレームの固着周縁部が支持プレートの周縁部を挟み込んだ状態で固定する固定部分を有し、固定フレームの自由周縁部が、支持プレートの周縁部を固定する固定部分と、固定部分の外側に位置して上下方向上方へ凹む凹部分と、凹部分の外側に位置して外側に向かうにつれて下り勾配に傾斜するスロープ部分とを有し、ベースの自由周縁部が、上下方向上方へ凸となって固定フレームの自由周縁部の固定部分に当接する第１凸部分と、第１凸部分の外側に位置して上下方向下方へ凹み、固定フレームの自由周縁部の凹部分に対向する凹部分と、凹部分の外側に位置して上下方向上方へ凸となり、固定フレームの自由周縁部のスロープ部分に当接する第２凸部分とを有し、固定フレームの自由周縁部の凹部分とベースの自由周縁部の凹部分とが固定手段を介して着脱可能に固定される。
【００１１】
本発明にかかる広告機能付きフロアーマットの他の一例としては、固定手段が、固定フレームの自由周縁部の凹部分に取り付けられたメカニカルファスナの雄ファスナと雌ファスナとのいずれか一方と、ベースの自由周縁部の凹部分に取り付けられたメカニカルファスナの雄ファスナと雌ファスナとのいずれか他方とである。
【００１２】
本発明にかかる広告機能付きフロアーマットの他の一例としては、支持プレートを形成する上部シートが、下部シートに対向する透明なＰＥＴ樹脂シートと、ＰＥＴ樹脂シートの下部シートに対する非対向面に配置された透明な保護シートとから形成され、保護シートが、透明な合成樹脂と合成樹脂に練り込まれた透明なセラミック粉末とから作られ、ＰＥＴ樹脂シートの非対向面に塗布された透明なＵＶ樹脂をバインダーとして非対向面に接合されている。
【発明の効果】
【００１３】
本発明にかかる広告機能付きフロアーマットによれば、所定の広告を表示した広告シートを着脱可能に取り付ける支持プレートを有し、設置マット自体を替えることなく、支持プレートにおいて広告シートを差し替えることができ、広告内容の変更要求に適時に対応することができる。フロアーマットは、広告内容の変更が生じたとしても、マット自体を替える必要がないから、その分の手間や費用を省くことができる。このフロアーマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝効果を最大限に発揮させることができる。
【００１４】
上下部シートが互いに固着された固着周縁部と残余の自由周縁部とを有し、上下部シートの自由周縁部が固定手段を介して着脱可能に固定され、ベースと固定フレームとが互いに固着された固着周縁部と残余の自由周縁部とを有し、ベースと固定フレームとの自由周縁部が固定手段を介して着脱可能に固定される広告機能付きフロアーマットは、上下部シートの自由周縁部においてそれらシートを離間させた後、それらシートの間に広告シートを挿入することで、広告シートを支持プレートに取り付けることができ、さらに、ベースと固定フレームとの自由周縁部においてそれらを離間させた後、ベースと固定フレームとの間に支持プレートを配置することで、支持プレートを設置マットに取り付けることができるから、広告シートを支持プレートに確実に固定することができ、支持プレートを設置マットに確実に固定することができる。このフロアーマットは、設置マット自体を替えることなく、支持プレートにおいて広告シートを自由に差し替えることができるから、広告内容の変更要求に適時に対応することができるにもならず、宣伝場所や宣伝目的に合致した最適な広告を行うことができ、宣伝効果を最大限に発揮させることができる。
【００１５】
ベースと固定フレームの固着周縁部が支持プレートの周縁部を挟み込んだ状態で固定する固定部分を有し、固定フレームの自由周縁部が支持プレートの周縁部を固定する固定部分と固定部分の外側に位置する凸部分と凸部分の外側に位置する凹部分と凹部分の外側に位置するスロープ部分とを有し、ベースの自由周縁部が固定フレームの自由周縁部の凸部分に当接する当接部分と当接部分の外側に位置して固定フレームの自由周縁部の凹部分に嵌合する凸部分とを有する広告機能付きフロアーマットは、固定フレームの自由周縁部の凹部分とベースの自由周縁部の凸部分とが嵌合するとともに固定手段を介して着脱可能に固定されるから、固定フレームとベースとを重ね合わせるときのそれらの位置決めを容易に行うことができるのみならず、固定フレームの自由周縁部とベースの自由周縁部との不用意なずれ動きを防ぐことができる。フロアーマットは、支持プレートの周縁部がベースと固定フレームの固着周縁部の固定部分に固定されるとともに、固定フレームの自由周縁部の固定部分に固定されるから、支持プレートを設置マットに確実に固定することができる。このフロアーマットは、設置マット自体を替えることなく、支持プレートにおいて広告シートを自由に差し替えることができるから、広告内容の変更要求に適時に対応することができるにもならず、宣伝場所や宣伝目的に合致した最適な広告を行うことができ、宣伝効果を最大限に発揮させることができる。
【００１６】
固定手段が固定フレームの自由周縁部の凹部分とベースの自由周縁部の凸部分との少なくとも一方に塗布された粘着剤である広告機能付きフロアーマットは、粘着剤によって固定フレームの自由周縁部とベースの自由周縁部とが確実に接着されるから、固定フレームの自由周縁部とベースの自由周縁部との不用意なずれ動きを防ぐことができ、支持プレートを設置マットに確実に固定することができる。このフロアーマットは、設置マット自体を替えることなく、支持プレートにおいて広告シートを自由に差し替えることができるから、広告内容の変更要求に適時に対応することができるにもならず、宣伝場所や宣伝目的に合致した最適な広告を行うことができ、宣伝効果を最大限に発揮させることができる。
【００１７】
ベースと固定フレームの固着周縁部が支持プレートの周縁部を挟み込んだ状態で固定する固定部分を有し、固定フレームの自由周縁部が支持プレートの周縁部を固定する固定部分と固定部分の外側に位置する凹部分と凹部分の外側に位置するスロープ部分とを有し、ベースの自由周縁部が固定フレームの自由周縁部の固定部分に当接する第１凸部分と第１凸部分の外側に位置する凹部分と凹部分の外側に位置する第２凸部分とを有する広告機能付きフロアーマットは、固定フレームの自由周縁部の凹部分とベースの自由周縁部の凹部分とが固定手段を介して着脱可能に固定されるから、固定フレームの自由周縁部とベースの自由周縁部との不用意なずれ動きを防ぐことができる。フロアーマットは、支持プレートの周縁部がベースと固定フレームの固着周縁部の固定部分に固定されるとともに、固定フレームの自由周縁部の固定部分に固定されるから、支持プレートを設置マットに確実に固定することができる。このフロアーマットは、設置マット自体を替えることなく、支持プレートにおいて広告シートを自由に差し替えることができるから、広告内容の変更要求に適時に対応することができるにもならず、宣伝場所や宣伝目的に合致した最適な広告を行うことができ、宣伝効果を最大限に発揮させることができる。
【００１８】
固定手段が固定フレームの自由周縁部の凹部分とベースの自由周縁部の凹部分とに取り付けられたメカニカルファスナの雄ファスナと雌ファスナとである広告機能付きフロアーマットは、メカニカルファスナによって固定フレームの自由周縁部とベースの自由周縁部とが確実に固定されるから、固定フレームの自由周縁部とベースの自由周縁部との不用意なずれ動きを防ぐことができ、支持プレートを設置マットに確実に固定することができる。フロアーマットは、メカニカルファスナの雄ファスナと雌ファスナとが固定フレームの自由周縁部の凹部分とベースの自由周縁部の凹部分とに取り付けられているから、それらファスナどうしを連結したときに凹部分の凹みによってそれらファスナの嵩が吸収され、それらファスナの嵩による固定フレームの自由周縁部とベースの自由周縁部とに発生する不規則な凸凹を防ぐことができる。このフロアーマットは、設置マット自体を替えることなく、支持プレートにおいて広告シートを自由に差し替えることができるから、広告内容の変更要求に適時に対応することができるにもならず、宣伝場所や宣伝目的に合致した最適な広告を行うことができ、宣伝効果を最大限に発揮させることができる。
【００１９】
上部シートが透明なＰＥＴ樹脂シートと透明な保護シートとから形成され、保護シートが、透明な合成樹脂と合成樹脂に練り込まれた透明なセラミック粉末とから作られ、ＰＥＴ樹脂シートの非対向面に塗布された透明なＵＶ樹脂をバインダーとして非対向面に接合された広告機能付きフロアーマットは、ＰＥＴ樹脂シートに保護シートを接合することによって上部シートの強度が向上し、上部シートが踏みつけられたとしても上部シートが傷つき難く、支持プレートを長期間にわたって使用することができる。
【図面の簡単な説明】
【００２０】
【図１】一例として示す広告機能付きフロアーマットの斜視図。
【図２】支持プレートと設置マットとを分離した状態で示す広告機能付きフロアーマットの斜視図。
【図３】図１の３−３線端面図。
【図４】図１の４−４線端面図。
【図５】固定フレームとベースとを分離した状態で示す図４と同様の図。
【図６】他の一例として示す広告機能付きフロアーマットの斜視図。
【図７】図６の７−７線端面図。
【図８】固定フレームとベースとを分離した状態で示す図７と同様の図。
【発明を実施するための形態】
【００２１】
広告機能付きフロアーマットの一例を示す図１等の添付の図面を参照し、本発明に係る広告機能付きフロアーマットの詳細を説明すると、以下のとおりである。なお、図２は、支持プレート１２と設置マット１３とを分離した状態で示す広告機能付きフロアーマット１０Ａの斜視図であり、図３は、図１の３−３線端面図である。図４は、図１の４−４線端面図であり、図５は、固定フレーム２９とベース３０とを分離した状態で示す図４と同様の図である。図１は、図２のフロアーマット１０Ａのみならず、後記する図６のフロアーマット１０Ｂの斜視図としても援用する。図１，２では、前後方向を矢印Ａ、横方向を矢印Ｂで示し、上下方向を矢印Ｃで示す。
【００２２】
図１の広告機能付きフロアーマット１０Ａ，１０Ｂは、販売品またはレンタル品として料金の支払いにより、店舗や宿泊施設、娯楽施設、生産施設、受付フロアー等の出入口や床等に設置され、店舗や宿泊施設、娯楽施設、生産施設、受付フロアー等において所定の商品や役務の宣伝広告に利用される。
【００２３】
広告機能付きフロアーマット１０Ａは、所定の広告を表示した広告シート１１を着脱可能に取り付ける支持プレート１２と、支持プレート１２を着脱可能に設置する設置マット１３とから構成されている。広告シート１１は、紙やプラスチックシートから作られ、図示はしていないが、その少なくとも一面に所定の広告（文字、図形、記号、写真等の広告媒体）が表示されている。
【００２４】
支持プレート１２は、広告シート１１を乗せる所定面積の下部シート１４と、下部シート１４の上に重なる所定面積の透明な上部シート１５とから形成されている。支持プレート１２は、その平面形状が横方向へ長い矩形に成形されている。支持プレート１２は、互いに並行して前後方向へ延びる第１側縁部１６（周縁部）および第２側縁部１７（周縁部）と、互いに並行して横方向へ延びる第１端縁部１８（周縁部）および第２端縁部１９（周縁部）とを有する。
【００２５】
下部シート１４は、透明または着色されたプラスチックあるいはゴム系素材から作られて可撓性かつ弾力性を有する。下部シート１４は、その平面形状が横方向へ長い矩形に成形されている。下部シート１４は、互いに並行して前後方向へ延びる第１側縁部２０（自由周縁部）および第２側縁部２１（自由周縁部）と、互いに並行して横方向へ延びる第１端縁部２２（自由周縁部）および第２端縁部２３（固着周縁部）とを有する。下部シート１４の第１および第２側縁部２０，２１と第１端縁部２２とには、粘着剤２４（固定手段）が塗布されている。
【００２６】
上部シート１５は、可撓性かつ弾力性を有し、その平面形状が下部シート１４と同形同大の横方向へ長い矩形に成形されている。上部シート１５は、図示はしていないが、下部シート１４に対向する透明なＰＥＴ樹脂シートと、ＰＥＴ樹脂シートの上面に配置された透明な保護シートとから形成されている。ＰＥＴ樹脂シートは、下部シート１４に対向する下面と、下部シート１４に非対向の上面（非対向面）とを有する。保護シートは、透明な合成樹脂と、その合成樹脂に練り込まれた透明なセラミック粉末とから作られている。保護シートは、ＰＥＴ樹脂シートの上面に塗布された透明なＵＶ樹脂をバインダーとしてＰＥＴ樹脂シートの上面に接合されている。上部シート１５は、互いに並行して前後方向へ延びる第１側縁部２５（自由周縁部）および第２側縁部２６（自由周縁部）と、互いに並行して横方向へ延びる第１端縁部２７（自由周縁部）および第２端縁部２８（固着周縁部）とを有する。
【００２７】
下部シート１４と上部シート１５とは、それらシート１４，１５の第２端縁部２３，２８どうしが固着（融着）され、第２端縁部２３，２８において一体化している。下部シート１４と上部シート１５とは、それらシート１４，１５の第１および第２側縁部２０，２１，２５，２６どうしが粘着剤２４（固定手段）を介して着脱可能に固定され、それらシート１４，１５の第１端縁部２２，２７どうしが粘着剤２４（固定手段）を介して着脱可能に固定される。
【００２８】
設置マット１３は、固定フレーム２９と、支持プレート１２を乗せる所定面積のベース３０とから形成されている。固定フレーム２９は、ゴム系素材から作られて可撓性かつ弾力性を有する。固定フレーム２９は、互いに並行して前後方向へ延びる第１フレーム部３１（自由周縁部）および第２フレーム部３２（自由周縁部）と、互いに並行して横方向へ延びる第３フレーム部３３（自由周縁部）および第４フレーム部３４（固着周縁部）とを有する。
【００２９】
固定フレーム２９の第４フレーム部３４（固着周縁部）には、支持プレート１２の第２端縁部１９（上下部シート１４，１５の第２端縁部２３，２８）を挟み込んだ状態で固定する固定部分３５と、固定部分３５の外側に位置するスロープ部分４９とが形成されている（図３参照）。スロープ部分４９は、固定部分３５から外側に向かうにつれて下り勾配に傾斜し、その先端の厚み寸法（上下方向の寸法）が略０である。
【００３０】
固定フレーム２９の第１〜第３フレーム部３１〜３３（自由周縁部）には、支持プレート１２の第１および第２側縁部１６，１７（上下部シート１４，１５の第１および第２側縁部２０，２１，２５，２６）と第１端縁部１８（上下部シート１４，１５の第１端縁部２２，２７）とを固定する固定部分３６と、固定部分３６の外側に位置して上下方向下方へ凸となる凸部分３７と、凸部分３７の外側に位置して上下方向上方へ凹む凹部分３８と、凹部分３８の外側に位置するスロープ部分３９とが形成されている（図４，５参照）。
【００３１】
固定フレーム２９の固定部分３５，３６は、設置マット１３の内側に向かうにつれて下り勾配に傾斜し、その先端の厚み寸法（上下方向の寸法）が略０である。固定フレーム２９の固定部分３６と凸部分３７との厚み寸法（上下方向の寸法）の差は、支持プレート１２の厚み寸法（上下方向の寸法）と略同一である。スロープ部分３９は、凹部分３８から外側に向かうにつれて下り勾配に傾斜し、その先端の厚み寸法（上下方向の寸法）が略０である。
【００３２】
ベース３０は、ゴム系素材から作られて可撓性かつ弾力性を有する。ベース３０は、その平面形状が横方向へ長い矩形に成形されている。ベース３０は、互いに並行して前後方向へ延びる第１側縁部４０（自由周縁部）および第２側縁部４１（自由周縁部）と、互いに並行して横方向へ延びる第１端縁部４２（自由周縁部）および第２端縁部４３（固着周縁部）と、それら端縁部４０〜４３に囲繞された所定面積のプレート載置部４４とを有する。プレート載置部４４は、支持プレート１２と略同形同大の矩形に成形され、プレート１２よりもわずかに大きい。固定フレーム２９とベース３０とは、第４フレーム部３４と第２端縁部４３とが固着（融着）され、第４フレーム部３４と第２端縁部４３とにおいて一体化している。
【００３３】
ベース３０の第２端縁部４３（固着周縁部）には、支持プレート１２の第２端縁部１９（上下部シート１４，１５の第２端縁部２３，２８）を挟み込んだ状態で固定する固定部分４５が形成されている（図３参照）。ベース３０の第１および第２側縁部４０，４１と第１端縁部４２とには、固定フレーム２９の凸部分３７に当接する当接部分４６と、当接部分４６の外側に位置して上下方向上方へ凸となる凸部分４７とが形成されている（図４，５参照）。ベース３０の凸部分４７は、固定フレーム２９の凹部分３８に着脱可能に嵌合する。
【００３４】
ベース３０の凸部分４７には、粘着剤４８（固定手段）が塗布されている。なお、粘着剤４８は、固定フレーム２９の凹部分３８とベース３０の凸部分４７との少なくとも一方に塗布されていればよい。固定フレーム２９とベース３０とは、第１フレーム部３１と第１側縁部４０とが粘着剤４８を介して着脱可能に固定され、第２フレーム部３２と第２側縁部４１とが粘着剤４８を介して着脱可能に固定されるとともに、第３フレーム部３３と第１端縁部４２とが粘着剤４８を介して着脱可能に固定される。
【００３５】
以下、この広告機能付きフロアーマット１０Ａの使用手順の一例を説明する。最初に支持プレート１２に広告シート１１を設置する。図２に示すように、ベース３０の凸部分４７に塗布された粘着剤４８の粘着力に抗してベース３０の縁部４０〜４２と固定フレーム２９のフレーム部３１〜３３との固定を解除し、固定フレーム２９を上下方向上方へ捲り上げ、固定フレーム２９とベース３０とを上下方向へ離間させた後、支持プレート１２を固定フレーム２９とベース３０との間から取り出す。
【００３６】
支持プレート１２を取り出した後、下部シート１４の縁部２０〜２２に塗布された粘着剤２４の粘着力に抗して下部シート１４と上部シート１５との固定を解除し、上部シート１５を上下方向上方へ捲り上げ、それらシート１４，１５どうしを上下方向へ離間させた後、下部シートの上に広告シート１１を乗せる。次に、上部シート１５を下部シート１４の上に重ね合わせ、粘着剤２４を介してそれらシート１４，１５の縁部２０〜２２，２５〜２７どうしを接合する。広告シート１１は、それらシート１４，１５の間に挟み込まれた状態で支持（固定）される。広告シート１１の広告を表示した面を透明な上部シート１５に対向させることで、上部シート１５を通して広告シート１１に表示された広告を視認することができる。
【００３７】
支持プレート１２に広告シート１１を設置した後、支持プレート１２をベース３０のプレート載置部４４の上に乗せる。このとき、支持プレート１２の第２端縁部１９（上下部シート１４，１５の第２端縁部２３，２８）を固定フレーム２９およびベース３０の固定部分３５，４５に嵌め込む。支持プレート１２の第２端縁部１９は、固定フレーム２９の固定部分３５とベース３０の固定部分４５との間に挟み込まれた状態で固定される。次に、固定フレーム２９の第１〜第３フレーム部３１〜３３をベース３０の縁部４０〜４２の上に重ね合わせ、ベース３０の凸部分４７とフレーム２９の凹部分３７とを嵌合させるとともに、フレーム２９を上下方向下方へ押圧する。固定フレーム２９を押圧すると、ベース３０の凸部分４７に塗布された粘着剤４８を介してフレーム２９の凹部分３８とベース３０の凸部分４７とが固定される。
【００３８】
固定フレーム２９とベース３０とが固定されると、フレーム２９の凸部分３７がベース３０の当接部分４６に当接するとともに、図５に示すように、支持プレート１２の第１および第２側縁部１６，１７（上下部シート１４，１５の第１および第２側縁部２０，２１，２５，２６）と第１端縁部１８（上下部シート１４，１５の第１端縁部２２，２７）とがフレーム１２の固定部分３６によって上下方向下方へ押圧された状態となり、プレート１２の縁部１６〜１８がフレーム１２の固定部分３６とベース３０との間に挟まれた状態で固定される。固定フレーム２９のスロープ部分３９は、ベース３０の凸部分４８の外側に位置する。
【００３９】
広告シート１１を配置した支持プレート１２を設置マット１３に固定した後、広告機能付きフロアーマット１０Ａを店舗や宿泊施設、娯楽施設、生産施設、受付フロアー等の出入口や床等に置く。店舗や宿泊施設、娯楽施設、生産施設、受付フロアー等を利用する人がこのフロアーマット１０Ａの上（支持プレート１２の上）を通過するときに、広告シート１１の広告が上部シート１５を透過して目に入り、その広告の内容を認識する。
【００４０】
広告内容の変更が生じ、広告シート１１を差し替える場合、粘着剤４８の粘着力に抗して固定フレーム２９の凹部分３８とベース３０の凸部分４７との接合を解除した後、フレーム２９を上下方向上方へ捲り上げ、フレーム２９とベース３０との間から支持プレート１２を取り出す。次に、粘着剤２４の粘着力に抗して上下部シート１４，１５の接合を解除した後、上部シート１５を上下方向上方へ捲り上げ、上下部シート１４，１５の間から広告シート１１を取り出し、あらたな広告シート１１をそれらシート１４，１５の間に配置し、広告シート１１の差し替えを行う。広告シート１１の差し替えを行った後、上記の手順で支持プレート１２を設置マット１３に設置する。
【００４１】
広告機能付きフロアーマット１０Ａは、広告シート１１を着脱可能に支持する支持プレート１２とプレート１２を着脱可能に設置する設置マット１３とを備え、プレート１２が上下部シート１４，１５から作られ、広告シート１１がそれらシート１４，１５の間に挟み込まれた状態で支持されるから、設置マット１３自体を替えることなく、支持プレート１２において広告シート１１を差し替えることができ、広告内容の変更要求に適時に対応することができる。フロアーマット１０Ａは、広告内容の変更が生じたとしても、マット１３自体を替える必要がないから、その分の手間や費用を省くことができる。フロアーマット１０Ａは、各種の広告シート１１を配置した状態で、それを自由に移動させることができるから、必要な場所において宣伝広告を行うことができ、さらに、必要に応じて広告シート１１を自由に差し替えることができるから、宣伝場所や宣伝目的に合致した最適な広告を行うことができ、宣伝効果を最大限に発揮させることができる。
【００４２】
広告機能付きフロアーマット１０Ａは、上下部シート１４，１５の縁部２０〜２２，２５〜２７においてそれらシート１４，１５を離間させた後、それらシート１４，１５の間に広告シート１１を挿入することで、広告シート１１を支持プレート１２に取り付けることができ、さらに、固定フレーム２９とベース３９とを離間させた後、固定フレーム２９とベース３９との間にプレート１２を配置することで、プレート１２を設置マット１３に取り付けることができるから、広告シート１１をプレート１２に確実に固定することができ、プレート１２を設置マット１３に確実に固定することができる。このフロアーマット１０Ａは、固定フレーム２９の凹部分３８とベース３０の凸部分４７とが嵌合するとともに粘着剤４８（固定手段）を介して着脱可能に固定されるから、固定フレーム２９とベース３０とを重ね合わせるときのそれらの位置決めを容易に行うことができるのみならず、固定フレーム２９とベース３０との不用意なずれ動きを防ぐことができる。
【００４３】
広告機能付きフロアーマット１０Ａは、支持プレート１２の縁部１６〜１８が固定フレーム２９のフレーム部３１〜３３とベース３０の縁部４０〜４２とに挟まれた状態で固定されるから、プレート１２がフロアーマット１０Ａから不用意に離脱することはなく、フロアーマット１０Ａとプレート１２との一体性を保持することができる。また、広告シート１１が支持プレート１２のそれらシート１４，１５に挟まれることで、広告シート１１がプレート１２に確実に支持され、フロアーマット１０Ａと広告シート１１との一体性を確実に維持することができる。
【００４４】
図６は、他の一例として示す広告機能付きフロアーマット１０Ｂの斜視図であり、図７は、図６の７−７線端面図である。図８は、固定フレーム２９とベース３０とを分離した状態で示す図７と同様の図である。図６では、前後方向を矢印Ａ、横方向を矢印Ｂで示し、上下方向を矢印Ｃで示す。図６では、支持プレート１２と設置マット１３とを分離した状態で示す。なお、図７は、図６の斜視図において、支持プレート１２を設置マット１３に設置し、さらに、固定フレーム２９とベース３０とを重ね合わせたときの断面図である。
【００４５】
このフロアーマット１０Ｂが図１のそれと異なるところは固定手段としてメカニカルファスナを利用している点、固定フレーム２９の構成やベース３０の縁部４０〜４２の構成が相違する点にあり、その他の構成は図１のフロアーマット１０Ａと同一である。したがって、図１のフロアーマット１０Ａと同一の構成については図１と同一の符号を付し、図１のフロアーマット１０Ａの説明を援用することで、このフロアーマット１０Ｂにおける同一の構成についての説明は省略する。
【００４６】
このフロアーマット１０Ｂは、所定の広告を表示した広告シート１１を着脱可能に取り付ける支持プレート１２と、プレート１２を着脱可能に設置する設置マット１３とから構成されている。支持プレート１２は、広告シート１１を乗せる所定面積の下部シート１４と、下部シート１４の上に重なる所定面積の透明な上部シート１５とから形成されている。上下部シート１４，１５は、図１のそれらと同一である。設置マット１３は、固定フレーム２９と、支持プレート１２を乗せる所定面積のベース３０とから形成されている。なお、固定フレーム２９の第４フレーム部３４とベース３０の第２端縁部４３との断面図は図３のそれと同一であるから、図３を援用する。
【００４７】
固定フレーム２９は、図１のそれと同様に、ゴム系素材から作られて可撓性かつ弾力性を有する。固定フレーム２９の第４フレーム部３４（固着周縁部）には、支持プレート１２の第２端縁部１９（上下部シート１４，１５の第２端縁部２３，２８）を挟み込んだ状態で固定する固定部分３５と、固定部分３５の外側に位置するスロープ部分４９とが形成されている（図３援用）。スロープ部分４９は、固定部分３５から外側に向かうにつれて下り勾配に傾斜し、その先端の厚み寸法（上下方向の寸法）が略０である。
【００４８】
固定フレーム２９の第１〜第３フレーム部３１〜３３（自由周縁部）には、支持プレート１２の第１および第２側縁部１６，１７（上下部シート１４，１５の第１および第２側縁部２０，２１，２５，２６）と第１端縁部１８（上下部シート１４，１５の第１端縁部２２，２７）とを固定する固定部分５０と、固定部分５０の外側に位置して上下方向上方へ凹む凹部分５１と、凹部分５１の外側に位置するスロープ部分５２とが形成されている（図７，８参照）。固定フレーム２９の凹部分５１には、メカニカルファスナのうちの雌ファスナ５３ａが取り付けられている。固定フレーム２９の固定部分３６，５０は、設置マット１３の内側に向かうにつれて下り勾配に傾斜し、その先端の厚み寸法（上下方向の寸法）が略０である。スロープ部分５２は、凹部分５１から外側に向かうにつれて下り勾配に傾斜し、その先端の厚み寸法（上下方向の寸法）が略０である。
【００４９】
ベース３０は、図１のそれと同様に、ゴム系素材から作られて可撓性かつ弾力性を有する。固定フレーム２９とベース３０とは、第４フレーム部３４と第２端縁部４３とが固着（融着）され、第４フレーム部３４と第２端縁部４３とにおいて一体化している。ベース３０の第２端縁部４３（固着周縁部）には、支持プレート１２の第２端縁部１９（上下部シート１４，１５の第２端縁部２３，２８）を挟み込んだ状態で固定する固定部分４５が形成されている（図３援用）。
【００５０】
ベース３０の第１および第２側縁部４０，４１と第１端縁部４２とには、上下方向上方へ凸となる第１凸部分５５と、第１凸部分５５の外側に位置して上下方向下方へ凹む凹部分５６と、凹部分５６の外側に位置して上下方向上方へ凸となる第２凸部分５７とが形成されている（図７，８参照）。第１凸部分５５は、固定フレーム２９の固定部分５０に当接する。凹部分５６は、固定フレーム２９の凹部分５１に対向する。第２凸部分５７は、固定フレーム２９のスロープ部分５２に当接する。ベース３０の第１凸部分５５の厚み寸法（上下方向の寸法）は、支持プレート１２の厚み寸法（上下方向の寸法）と略同一である。ベース３０の凹部分５６には、メカニカルファスナのうちの雄ファスナ５３Ｂが取り付けられている。
【００５１】
固定フレーム２９とベース３０とは、第１フレーム部３１と第１側縁部４０とがファスナ５３ａ，５３ｂを介して着脱可能に固定され、第２フレーム部３２と第２側縁部４１とがファスナ５３ａ，５３ｂを介して着脱可能に固定されるとともに、第３フレーム部３３と第１端縁部４２とがファスナ５３ａ，５３ｂを介して着脱可能に固定される。
【００５２】
以下、この広告機能付きフロアーマット１０Ｂの使用手順の一例を説明する。最初に支持プレート１２に広告シート１１を設置する。図６に示すように、固定フレーム２９の凹部分５１とベース３０の凹部分５６とに取り付けられたファスナ５３ａ，５３ｂの固定を解除し、フレーム２９を上下方向上方へ捲り上げ、フレーム２９とベース３０とを上下方向へ離間させた後、支持プレート１２をフレーム２９とベース３０との間から取り出す。
【００５３】
支持プレート１２を取り出した後、下部シート１４の縁部２０〜２２に塗布された粘着剤２４の粘着力に抗して下部シート１４と上部シート１５との固定を解除し、上部シート１５を上下方向上方へ捲り上げ、それらシート１４，１５どうしを上下方向へ離間させた後、下部シート１４の上に広告シート１１を乗せる。次に、上部シート１５を下部シート１４の上に重ね合わせ、粘着剤２４を介してそれらシート１４，１５の縁部２０〜２２，２５〜２７どうしを接合する。広告シート１１は、それらシート１４，１５の間に挟み込まれた状態で支持（固定）される。広告シート１１の広告を表示した面を透明な上部シート１１５に対向させることで、上部シート１５を通して広告シート１１に表示された広告を視認することができる。
【００５４】
支持プレート１２に広告シート１１を設置した後、プレート１２をベース３０のプレート載置部４４の上に乗せる。このとき、支持プレート１２の第２端縁部１９（第１および第２シート１４，１５の第２端縁部２３，２８）を固定フレーム２９およびベース３０の固定部分５０，５４に嵌め込む。支持プレート１２の第２端縁部１９は、固定フレーム２９の固定部分５０とベース３０の固定部分５４との間に挟み込まれた状態で固定される。次に、固定フレーム２９の第１〜第３フレーム部３１〜３３をベース３０の縁部４０〜４２の上に重ね合わせ、フレーム２９を上下方向下方へ押圧する。固定フレーム２９を押圧すると、ファスナ５３ａ，５３ｂを介してフレーム２９の凹部分５１とベース３０の凹部分５６とが固定される。
【００５５】
固定フレーム２９とベース３０とが固定されると、図７に示すように、ベース３０の第１凸部分５５がフレーム２９の固定部分５０に当接するとともに、ベース３０の第２凸部分５７がフレーム２９のスロープ部分５２に当接する。さらに、支持プレート１２の第１および第２側縁部１６，１７（上下部シート１４，１５の第１および第２側縁部２０，２１，２５，２６）と第１端縁部１８（上下部シート１４，１５の第１端縁部２２，２７）とがフレーム２９の固定部分５０によって上下方向下方へ押圧された状態となり、プレート１２の縁部１６〜１８がフレーム２９の固定部分５０とベース３０の固定部分５４との間に挟まれた状態で固定される。固定フレーム２９のスロープ部分５２は、ベース３０の第２凸部分５７の外側に位置する。
【００５６】
広告シート１１を配置した支持プレート１２を設置マット１３に固定した後、広告機能付きフロアーマット１０Ｂを店舗や宿泊施設、娯楽施設、生産施設、受付フロアー等の出入口や床等に置く。店舗や宿泊施設、娯楽施設、生産施設、受付フロアー等を利用する人がこのフロアーマット１０Ｂの上（支持プレート１２の上）を通過するときに、広告シート１１の広告が上部シート１５を透過して目に入り、その広告の内容を認識する。
【００５７】
広告内容の変更が生じ、広告シート１１を差し替える場合、固定フレーム２９の凹部分５１とベース３０の凹部分５６との固定を解除した後、フレーム２９を上下方向上方へ捲り上げ、フレーム２９とベース３０との間から支持プレート１２を取り出す。次に、粘着剤２４の粘着力に抗して上下部シート１４，１５の接合を解除した後、上部シート１５を上下方向上方へ捲り上げ、上下部シート１４，１５の間から広告シート１１を取り出し、あらたな広告シート１１をそれらシート１４，１５の間に配置し、広告シート１１の差し替えを行う。広告シート１１の差し替えを行った後、上記の手順で支持プレート１２を設置マット１３に設置する。
【００５８】
広告機能付きフロアーマット１０Ｂは、図１のフロアーマット１０Ａと同様に、設置マット１３自体を替えることなく、支持プレート１２において広告シート１１を差し替えることができ、広告内容の変更要求に適時に対応することができる。フロアーマット１０Ｂは、広告内容の変更が生じたとしても、マット１３自体を替える必要がないから、その分の手間や費用を省くことができる。フロアーマット１０Ｂは、各種の広告シート１１を配置した状態で、それを自由に移動させることができるから、必要な場所において宣伝広告を行うことができ、さらに、必要に応じて広告シート１１を自由に差し替えることができるから、宣伝場所や宣伝目的に合致した最適な広告を行うことができ、宣伝効果を最大限に発揮させることができる。
【００５９】
広告機能付きフロアーマット１０Ｂは、ファスナ５３ａ，５３ｂによって固定フレーム２９の第１〜第３フレーム部３１〜３３（自由周縁部）とベース３０の縁部４０〜４２（自由周縁部）とが確実に固定されるから、フレーム２９とベース３０との不用意なずれ動きを防ぐことができ、支持プレート１２を設置マット１３に確実に固定することができる。フロアーマット１０Ｂは、雄ファスナ５３ｂと雌ファスナ５３ａとが固定フレーム２９の凹部分５１とベース３０の凹部分５６とに取り付けられているから、それらファスナ５３ａ，５３ｂどうしを連結したときに凹部分５１，５６の凹みによってそれらファスナ５３ａ，５３ｂの嵩が吸収され、それらファスナ５３ａ，５３ｂの嵩による固定フレーム２９のフレーム部３１〜３３とベース３０の縁部４０〜４２とに発生する不規則な凸凹を防ぐことができる。
【００６０】
広告機能付きフロアーマット１０Ｂは、支持プレート１２の縁部１６〜１８が固定フレーム２９のフレーム部３１〜３３とベース３０の縁部４０〜４２とに挟まれた状態で固定されるから、プレート１２がフロアーマット１０Ｂから不用意に離脱することはなく、フロアーマット１０Ｂとプレート１２との一体性を保持することができる。また、広告シート１１が支持プレート１２のそれらシート１４，１５に挟まれることで、広告シート１１がプレート１２に確実に支持され、フロアーマット１０Ｂと広告シート１１との一体性を確実に維持することができる。
【符号の説明】
【００６１】
１０Ａ  広告機能付きフロアーマット
１０Ｂ  広告機能付きフロアーマット
１１    広告シート
１２    支持プレート
１３    設置マット
１４    下部シート
１５    上部シート
１６    第１側縁部（周縁部）
１７    第２側縁部（周縁部）
１８    第１端縁部（周縁部）
１９    第２端縁部（周縁部）
２０    第１側縁部（自由周縁部）
２１    第２側縁部（自由周縁部）
２２    第１端縁部（自由周縁部）
２３    第２端縁部（固着周縁部）
２４    粘着剤（固定手段）
２５    第１側縁部（自由周縁部）
２６    第２側縁部（自由周縁部）
２７    第１端縁部（自由周縁部）
２８    第２端縁部（固着周縁部）
２９    固定フレーム
３０    ベース
３１    第１フレーム部（自由周縁部）
３２    第２フレーム部（自由周縁部）
３３    第３フレーム部（自由周縁部）
３４    第４フレーム部（固着周縁部）
３５    固定部分
３６    固定部分
３７    凸部分
３８    凹部分
３９    スロープ部分
４０    第１側縁部（自由周縁部）
４１    第２側縁部（自由周縁部）
４２    第１端縁部（自由周縁部）
４３    第２端縁部（固着周縁部）
４４    プレート載置部
４５    固定部分
４６    当接部分
４７    凸部分
４８    粘着剤（固定手段）
４９    スロープ部分
５０    固定部分
５１    凹部分
５２    スロープ部分
５３ａ  雌ファスナ
５３ｂ  雄ファスナ
５４    固定部分
５５    第１凸部分
５６    凹部分
５７    第２凸部分
【図１】
2011209598.tif 000003
【図２】
2011209598.tif 000004
【図３】
2011209598.tif 000005
【図４】
2011209598.tif 000006
【図５】
2011209598.tif 000007
【図６】
2011209598.tif 000008
【図７】
2011209598.tif 000009
【図８】
2011209598.tif 000010